(57)【特許請求の範囲】
【請求項１】
ガス状の冷媒の圧力を振動させる圧力源本体をもつ圧力振動源と、該圧力振動源に一体にまたは別体として接続され冷媒の熱を放熱する放熱器と、蓄冷機能をもつ蓄冷器と、該蓄冷器に接続された吸熱器と、冷媒の圧力変動と位置変動の位相差を調整する位相調整器とをもつ冷凍系と、
該位相調整器と該吸熱器との間に配置され該吸熱器から離れた位置に発熱を伴う温端部をもつパルス管とを備え、
前記圧力振動源は、高圧口及び低圧口をもつ圧力源本体と、該圧力源本体の高圧口から吐出された高圧の冷媒が流れる高圧冷媒通路と、該圧力源本体の低圧口に冷媒を戻す低圧冷媒通路と、該高圧冷媒通路が該蓄冷器に連通する第１形態と該低圧冷媒通路が該蓄冷器に連通する第２形態とを切り替える主切替弁とをもち、
該吸熱器で冷凍を生成するパルス管冷凍機であって、
該パルス管の温端部側に該温端部側の冷媒が流れる管体状の第１伝熱管を別部材として接続し、該第１伝熱管の冷媒を該冷凍系の冷媒で熱交換して冷却することを特徴とするパルス管冷凍機。
【請求項２】
前記第１伝熱管を該放熱器に熱的に接近させ、該第１伝熱管の冷媒と該放熱器の冷媒とを熱交換して該第１伝熱管を冷却することを特徴とする請求項１に記載のパルス管冷凍機。
【請求項３】
該圧力振動源は、該パルス管の温端部側に接続された第１伝熱管が該高圧冷媒通路に連通する第３形態と第１伝熱管が該低圧冷媒通路に連通する第４形態とを切り替える位相調整用切替弁をもち、
該位相調整用切替弁が位相調整器を構成することを特徴とする請求項１に記載のパルス管冷凍機。
【請求項４】
該低圧冷媒通路にこれの冷媒が流れる管体状の第２伝熱管が設けられており、該第２伝熱管を該第１伝熱管に熱的に接近させ、該第２伝熱管の冷媒と該第１伝熱管の冷媒とを熱交換して該第１伝熱管を冷却することを特徴とする請求項１に記載のパルス管冷凍機。
【発明の詳細な説明】
【０００１】
【産業上の利用分野】
本発明はパルス管を用いて冷凍性能を向上させたパルス管冷凍機に関する。本発明は極低温装置に適用できる。
【０００２】
【従来の技術】
従来より、蓄冷器をもつ冷凍機が開発されている。この冷凍機は、そのブロック図を図４に示す様に、ガス状の冷媒の圧力を振動させる圧力振動源１００と、圧力振動源１００に放熱器通路１０３を介して接続され冷媒の熱を放熱する放熱器２００と、放熱器２００を介して圧力振動源１００に接続された蓄冷機能をもつ蓄冷器３００と、蓄冷器３００に接続されたコールドヘッドとも呼ばれる吸熱器４００と、冷媒の圧力変動と位置変動の位相差を調整するための位相調整器５００とを備えている。
【０００３】
この冷凍機によれば、圧力振動源１００によりガス状の冷媒（通常、ヘリウム）の圧力が振動すると、吸熱器４００で吸熱され極低温の冷凍が生成する。
冷凍が生成する理由は必ずしも明らかではないが、有力な説によれば、次の様に考えられている。即ち圧力振動源１００の増圧作用によりガス状の冷媒の圧力が増加すると、冷媒は放熱器２００、蓄冷器３００等のそれぞれの位置で振動しながら熱を吐き出す。また圧力振動源１００の減圧作用によりガス状の冷媒の圧力が減少すると、冷媒は放熱器２００、蓄冷器３００等のそれぞれの位置で振動しながら熱を吸い込む。ここで、位相調整器５００により冷媒の圧力変動と位置変動の位相差を調整することで、主に蓄冷器３００内の冷媒が現在の位置から動いた所で、その位置に存在する蓄冷器３００の蓄冷材から熱を吸い、他方に動いてその位置に存在する蓄冷材に熱を吐く。これにより蓄冷器３００の内部を低温側から高温側へと、あたかもバケツリレーのごとく熱はくみあげられていく。その結果、吸熱器４００の温度が下がって冷凍が生成されると共に、高熱側である放熱器２００に熱が輸送される。
【０００４】
更にこの蓄冷型冷凍機を技術的に進めたものとして、近年、図５示す様に、吸熱器４と位相調整器６との間に、中空状のパルス管５を介在させたパルス管冷凍機が開発されている。パルス管冷凍機の冷凍理論は、現在のところ解析中であるが、有力な説によれば、パルス管５により、吸熱器４よりも位相調整器５をかなり離した位置に、つまり高温側の領域（例えば常温領域）に配置できることによると推察されている。
【０００５】
【発明が解決しようとする課題】
ところでこのパルス管冷凍機によれば、パルス管６のうち吸熱器４と反対側の端で発熱（例えば３２０〜３８０Ｋ程度）する不具合がある。これをパルス管５の温端部と呼ぶ。この温端部の熱生成を抑えれば、パルス管冷凍機において更に極低温の冷凍を発生するのに有利となることが、本発明者により実験で確認されている。その理由は、パルス管５は中空状であり、熱に対する遮蔽物が基本的には存在しないため、パルス管５の温端部の熱が吸熱器４に伝熱され易く、これが冷凍性能の限界の要因を形成しているためと、推察されている。
【０００６】
そこで近年、本発明者はパルス管６００の温端部に冷却風や冷却水を強制的に接触させて強制冷却することにしている。しかしながらこの場合にはパルス管冷凍機とは別系統の冷却風送給装置や冷却水送給装置を必要とする不具合がある。また近年、本出願人により図６に示すパルス管冷凍機が開発されている。この冷凍機によれば、冷媒通路の開閉を切り替える弁を駆動するモータ７０３をハウジング７００の冷媒室７０１に配設すると共に、冷媒室７０１にパルス管５の温端部５ｘをシールしつつ直接挿入し、冷媒室７００の冷媒によりモータ７０３及びパルス管５の温端部５ｘを直接冷却することにしている。しかしこのものでは冷凍性能の向上には限界がある。図６に示す方式では、温端部５ｘがハウジング７００の冷媒室７０１に挿入されている関係上、温端部５ｘを位相調整器に接続するのが困難となり易く、位相調整器による低温改善効果が得られにくいからである。
【０００７】
更にハウジング７００の冷媒室７０１にパルス管５の温端部５ｘを必ず挿入する構造であるため、ハウジング７００と温端部５ｘとを構造的に必ず接近させねばならず、設計上の自由度が制約される。
本発明は上記した実情に鑑みなされたものであり、その目的は、パルス管の温端部の冷媒が流れる第１伝熱管を温端部に別部材として接続し、この第１伝熱管の冷媒を熱交換して冷却する方式を採用することにより、温端部の抜熱に貢献でき、冷凍性能を一層向上させ得るのに有利なパルス管冷凍機を提供することにある。
【０００８】
【課題を解決するための手段】
○請求項１に係るパルス管冷凍機は、ガス状の冷媒の圧力を振動させる圧力源本体をもつ圧力振動源と、圧力振動源に一体にまたは別体として接続され冷媒の熱を放熱する放熱器と、蓄冷機能をもつ蓄冷器と、蓄冷器に接続された吸熱器と、冷媒の圧力変動と位置変動の位相差を調整する位相調整器とをもつ冷却系と、
位相調整器と吸熱器との間に配置され吸熱器から離れた位置に温端部をもつパルス管とを備え、
圧力振動源は、高圧口及び低圧口をもつ圧力源本体と、圧力源本体の高圧口から吐出された高圧の冷媒が流れる高圧冷媒通路と、圧力源本体の低圧口に冷媒を戻す低圧冷媒通路と、高圧冷媒通路が蓄冷器に連通する第１形態と低圧冷媒通路が蓄冷器に連通する第２形態とを切り替える主切替弁とをもち、
吸熱器で冷凍を生成するパルス管冷凍機であって、
パルス管の温端部側に温端部側から冷媒が流れる管体状の第１伝熱管を別部材として接続し、第１伝熱管の冷媒を冷凍系の冷媒で熱交換して冷却することを特徴とするものである。
【０００９】
○請求項２に係るパルス管冷凍機は、請求項１において、第１伝熱管を放熱器に熱的に接近させ、第１伝熱管の冷媒と放熱器の冷媒とを熱交換して第１伝熱管の冷媒を冷却することを特徴とするものである。
【００１０】
○請求項３に係るパルス管冷凍機は、請求項１において、圧力振動源は、パルス管の温端部側に接続する第１伝熱管が高圧冷媒通路に連通する第３形態と第１伝熱管が低圧冷媒通路に連通する第４形態とを切り替える位相調整用切替弁をもち、
位置調整用切替弁が位相調整器を構成することを特徴とするものである。
【００１１】
○請求項４に係るパルス管冷凍機によれば、請求項１において、低圧冷媒通路に第２伝熱管が設けられており、第２伝熱管を第１伝熱管に熱的に接近させ、第２伝熱管の冷媒と第１伝熱管の冷媒とを熱交換して第１伝熱管の冷媒を冷却することを特徴とするものである。
【００１２】
【作用】
本発明によれば従来のパルス管冷凍機と同様に、圧力振動源によりガス状の冷媒の圧力が振動すると、吸熱器で吸熱されて冷凍が生成する。
請求項１によれば、パルス管の温端部側の冷媒が流れる第１伝熱管を温端部に別部材として接続し、第１伝熱管を冷凍系の冷媒で熱交換して冷却する。そのためパルス管の発熱を伴う温端部側が冷却される。
【００１３】
請求項２によれば、パルス管の温端部側に冷媒が流れる第１伝熱管を別部材として設け、第１伝熱管の冷媒と放熱器の冷媒とを熱交換する。そのため放熱器を流れる冷媒により、パルス管の発熱を伴う温端部側が冷却される。
請求項３によれば、主切替弁が第１形態に切り替わると、高圧冷媒通路が蓄冷器に連通する。主切替弁が第２形態に切り替わると、低圧冷媒通路が蓄冷器に連通する。この様にして蓄冷器の冷媒の圧力が振動する。
【００１４】
位相調整用切替弁が第３形態に切り替わると、パルス管の温端部側に接続する第１伝熱管が高圧冷媒通路に連通して高圧となる。また位相調整用切替弁が第４形態に切り替わると、第１伝熱管が低圧冷媒通路に連通して低圧となる。この様にして位相調整用切替弁の切替により、パスル管側の冷媒圧力の位相調整は達成される。
【００１５】
請求項４によれば、圧力振動源の低圧冷媒通路に第２伝熱管が設けられており、この第２伝熱管の冷媒と第１伝熱管の冷媒とを熱交換する。そのため第２伝熱管を流れる冷媒により、第１伝熱管ひいてはパルス管の温端部側が冷却される。
【００１６】
【実施例】
以下、本発明の実施例を図面を参照して具体的に説明する。
（実施例１）
この例は中空長尺状のパルス管を用いる極低温用パルス管冷凍機に適用した場合である。
【００１７】
このパルス管冷凍機の基本的構成は、図５にブロック図として示した従来技術と同様である。
即ち、図１においてこのパルス管冷凍機は、ガス状の冷媒（ヘリウム）の圧力を振動させる圧力振動源１と、圧力振動源１に放熱器通路１２を介して接続され冷媒の熱を放熱する放熱器２と、金属網等の蓄冷材が密に保持されかつ放熱器２を介して圧力振動源１に接続された蓄冷器３と、蓄冷器３に接続されたコールドヘッドとも呼ばれる冷凍を取り出す吸熱器４と、吸熱器４に接続された中空長尺状をなす金属製のパルス管５とを備えている。吸熱器４では冷凍（例えば、数Ｋ〜数１０Ｋ程度）が生成される。
【００１８】
放熱器２は、熱交換のため表面積が大きくされている。
さてパルス管５のうち吸熱器４と反対側の部位は、発熱現象を伴う温端部５ｃとされている。温端部５ｃから金属製の管体状の第１伝熱管１６が別部材として接続されている。第１伝熱管１６は、熱交換作用を奏する金属製であり、熱交換の効率向上のために表面積が大きくされている。
【００１９】
実施例１における圧力振動源１は、冷媒圧縮機能及び冷媒吸込機能をもつ圧力源本体として機能するコンプレッサ８と、コンプレッサ８の吐出口とも呼ばれる高圧口としての高圧ポート８ａにつながる高圧冷媒通路９と、コンプレッサ８の吸込口とも呼ばれる低圧口としての低圧ポート８ｂにつながる低圧冷媒通路１０と、回転弁方式の主切替弁１１とを備えている。
【００２０】
コンプレッサ８に冷却部８ｒが一体的にまたは別体として装備されている。冷却部８ｒは、冷媒の熱を放出つまり放熱させる機能をもつ。即ち、冷却部８ｒは、風や冷却水を送給して強制空冷や強制水冷により、コンプレッサ８自体、あるいはコンプレッサ８を流れる冷媒の熱を放出して冷媒を冷却するものである。
図１から理解できる様に主切替弁１１は、高圧冷媒通路９と、低圧冷媒通路１０と、放熱器２に連通する放熱器通路１２との間に配置されている。
【００２１】
主切替弁１１は第１形態と第２形態とに切り替えられる。主切替弁１１が第１形態に切り替わると、高圧冷媒通路９が放熱器通路１２や放熱器２を介して蓄冷器３に連通して、高圧冷媒通路９の高圧が放熱器２ひいては蓄冷器３に送給され、放熱器２や蓄冷器４の内部の冷媒は高圧（ゲージ圧で通常２０気圧）となる。この様な第１形態では、低圧冷媒通路１０は放熱器２や蓄冷器３に連通しない。
【００２２】
また主切替弁１１が第２形態に切り替わると、低圧冷媒通路１０が放熱器２や蓄冷器３に連通するので、放熱器２や蓄冷器３の内部は低圧（ゲージ圧で通常１０気圧）となる。この様な第２形態では、高圧冷媒通路９は放熱器２や蓄冷器３に連通しない。この様に主切替弁１１が第１形態と第２形態に切り替わると、蓄冷器３の内部の冷媒は、所定の時間的間隔をもって交互に高圧状態と低圧状態とになる。
【００２３】
位相調整器として機能するものは位相調整用切替弁６及び流量調整手段２２である。位相調整用切替弁６は、高圧冷媒通路９と低圧冷媒通路１０との間に配置されている。位相調整用切替弁６は回転弁方式であり、第１伝熱管１６と高圧冷媒通路９と低圧冷媒通路１０とに接続されている。この位相調整用切替弁６は第３形態と第４形態とに切り替えられる。
【００２４】
この位相調整用切替弁６が第３形態に切り替わると、パルス管５の温端部５ｃ側の第１伝熱管１６が高圧冷媒通路９に連通して、高圧冷媒通路９の高圧が第１伝熱管１６を介してパルス管５に送給され、パルス管５の内部は高圧とされる。この様な第３形態では、第１伝熱管１６は低圧冷媒通路１０に連通しない。
また位相調整用切替弁６が第４形態に切り替わると、第１伝熱管１６が低圧冷媒通路１０に連通して、パルス管５の内部の冷媒の圧力が低圧となる。
【００２５】
この様に位相調整用切替弁６が第３形態と第４形態とに切り替わることにより、パルス管５の内部のガス状の冷媒は、蓄冷器３の冷媒の圧力とは位相がずれた状態で、所定の時間的間隔をもって交互に高圧と低圧とになる。以て位相調整用切替弁６による位相調整機能が達成される。
位相調整用切替弁６および主切替弁１１は、図略の制御装置により開閉制御される。
【００２６】
図２は、主切替弁１１の開閉動作と位相調整用切替弁６の開閉動作とのタイミングチャートを示す。図２（Ａ）においてＨは蓄冷器３につながる主切替弁１１のポート１１ｈの高圧状態を意味し、Ｌは蓄冷器３につながる主切替弁１１のポート１１ｈの低圧状態を意味する。また図２（Ｂ）においてＨはパルス管５につながる位相調整用切替弁６のポート６ｐの高圧状態を意味し、Ｌはパルス管５につながる位相調整用切替弁６のポート６ｐの低圧状態を意味する。
【００２７】
図２から理解できる様に主切替弁１１の作動により、蓄冷器３につながるポート１１ｈは、時刻ｔ１で低圧であるが時刻ｔ２で高圧となり、時刻ｔ４で低圧となり、時刻ｔ６で高圧となるのが基本的切替形態である。
一方、位相調整用切替弁６の作動により、パルス管５につながるポート６ｐは、時刻ｔ１で高圧であるが時刻ｔ３で低圧となり、時刻ｔ５で高圧となる。図２から理解できる様に蓄冷器３につながるポート１１ｈの冷媒の圧力と、パルス管５につながるポート６ｐの冷媒の圧力とは、θぶん位相がずれている。なおθは冷凍機の種類等に応じて適宜選択できるが、一般的には１０〜７０度程度である。
【００２８】
図２では圧力の応答形態がステップ的であるが、これを経時的になだらかな圧力変動とした形態、例えばサインカーブ的形態としても良い。
この例では図１に示す様に、位相調整用切替弁６は、パルス管５および第１伝熱管１６によって吸熱器４に対して離遠した位置に配置されており、圧力振動源１に組み込まれているので、位相調整用切替弁６は常温領域に配置されている。
【００２９】
パルス管５の温端部５ｃと第１伝熱管１６との間には流量調整手段２２が設けられている。流量調整手段２２は、パルス管５から位相調整用切替弁６に流れる冷媒の流量を絞って規制するためのものであり、オリフィスや流量絞り弁で構成できる。位相調整用切替弁６は、パルス管５側の冷媒の圧力の位相を変化させるためのものであるから、多量の冷媒流量を冷凍生成のために必要とする蓄冷器３とは異なり、冷媒流量はあまり必要としないからである。
【００３０】
この例によれば図１から理解できる様に、パルス管５の温端部５ｃにつながる第１伝熱管１６は放熱器２に熱的に接近して配置されており、従って両者で熱交換器Ａを構成している。ここで温端部５ｃの熱影響を受ける第１伝熱管１６は、放熱器２よりも高温となる。故に温端部５ｃや第１伝熱管１６の冷媒は、第１伝熱管１６を往復する際に、放熱器２の冷媒と熱交換されて冷却されるので、パルス管５の温端部５ｃの過熱が防止される。これによりパルス管冷凍機の冷凍性能は向上する。これは試験で確認されている。
【００３１】
なお第１伝熱管１６を往復する冷媒量は、流量調整手段２２により絞られており、放熱器２や蓄冷器３を往復する冷媒に比較して少量（蓄冷器３を往復する冷媒に対して例えば１／１０程度）であるため、第１伝熱管１６の冷媒の熱は、放熱器２の冷媒と効果的に熱交換される。
更にこの例によれば、パルス管５の温端部５ｃから別部材として導出した第１伝熱管１６を熱交換する構成であるため、図６に示す従来例とは異なり、パルス管５の温端部５ｃを冷媒室に直接挿入する構造を採用する必要がなく、設計の自由度が増すと共に、温端部５ｃと圧力振動源１とを離すのに有利であるという利点が得られる。
（実施例２）
この例も前記した実施例１と同様に、中空状のパルス管５を用いるパルス管冷凍機に適用した場合である。実施例２は実施例１と基本的には同様の構成であり、同一の機能を奏する部位には同一の符号を付する。
【００３２】
即ち図３に示す様に、このパルス管冷凍機は、ガス状の冷媒（ヘリウム）の圧力を振動させる圧力振動源１と、金属網等の蓄冷材が密に保持された蓄冷器３と、蓄冷器３に接続されたコールドヘッドとも呼ばれる冷凍を取り出す吸熱器４と、吸熱器４に接続された中空状のパルス管５とを備えている。
パルス管５の温端部５ｃには、熱交換作用を奏する第１伝熱管１６が流量調整手段２２を介して接続されている。圧力振動源１は、実施例１と同様に、圧力源本体として機能するコンプレッサ８と、コンプレッサ８の高圧口としての高圧ポート８ａにつながる高圧冷媒通路９と、コンプレッサ８の低圧口としての低圧ポート８ｂにつながる低圧冷媒通路１０と、回転弁方式の主切替弁１１とを備えている。
【００３３】
図３に示す様に、主切替弁１１は高圧冷媒通路９と、低圧冷媒通路１０と、放熱器２に連通する放熱器通路１２との間に配置されている。低圧冷媒通路１０には、熱交換器機能を奏する金属製の管体状の第２伝熱管１９が配置されている。
第２伝熱管１９と第１伝熱管１６とは熱的に接近して配置されており、両者で熱交換器Ｂが構成されている。
【００３４】
実施例１と同様に、主切替弁１１は第１形態と第２形態とに切り替わる。主切替弁１１が第１形態に切り替わると、高圧冷媒通路９が放熱器通路１２や放熱器２を介して蓄冷器３に連通して、高圧冷媒通路９の高圧が放熱器通路１２や放熱器２を介して蓄冷器３に送給され、放熱器２や蓄冷器３の冷媒は高圧となる。
また主切替弁１１が第２形態に切り替わると、低圧冷媒通路１０が放熱器通路１２を介して放熱器２や蓄冷器３に連通するので、放熱器２や蓄冷器３の内部の冷媒は低圧となる。
【００３５】
実施例２においても、実施例１と同様に、位相調整用切替弁６が高圧冷媒通路９と低圧冷媒通路１０との間に配置されている。位相調整用切替弁６は低圧冷媒通路１０の第２伝熱管１９に接続されている。
この位相調整用切替弁６は第３形態と第４形態とを切り替える。位相調整用切替弁６が第３形態に切り替わると、パルス管５の温端部５ｃ側の第１伝熱管１６が高圧冷媒通路９に連通して、高圧冷媒通路９の高圧がパルス管５に送給され、パルス管５の内部が高圧となる。
【００３６】
また位相調整用切替弁６が第４形態に切り替わると、第１伝熱管１６が低圧冷媒通路１０に連通して、パルス管５の冷媒の圧力が低圧となる。この様に位相調整用切替弁６が第３形態と第４形態とに切り替わることにより、パルス管５の内部のガス状の冷媒は、蓄冷器３とは冷媒の圧力の位相がずれた状態で、交互に高圧と低圧とになる。以て位相調整用切替弁６による位相調整機能が達成される。
【００３７】
図３に示す例によれば、前述した様にコンプレッサ８に放熱器としての冷却部８ｒが一体的にまたは別体として装備されている。冷却部８ｒは風や冷却水を送給してコンプレッサ８自体、あるいはコンプレッサ８を流れる冷媒を冷却するものである。従ってこの冷却部８ｒが図１に示す例にかかる放熱器２と同様に冷媒の熱を放出して冷媒を冷やす役割を果たす。即ちコンプレッサ８の冷却部８ｒは冷媒の熱を放出する放熱器として機能できる。
【００３８】
この例においても、第２伝熱管１９と第１伝熱管１６とは熱的に接近して配置されており、両者で熱交換器Ｂが構成されている。ここで温端部５ｃの熱影響を受ける第１伝熱管１６は、第２伝熱管１９よりも高温となる。故に、温端部５ｃや第１伝熱管１６の冷媒は、第１伝熱管１６を往復する際に、第２伝熱管１９の冷媒で冷却される。これにより第１伝熱管１６や温端部５ｃの過熱を軽減、回避できる。なお、第１伝熱管１６から第２伝熱管１９に付与された熱は、低圧冷媒通路１０を経てコンプレッサ８の低圧ポート８ｂに吸い込まれる。ここで、空冷機構または水冷機構を備えた冷却部８ｒにより、コンプレッサ８の冷媒は冷却されるため、その冷媒の熱は外部に放出される。
【００３９】
更に実施例２においても実施例１と同様に、パルス管５の温端部５ｃから導出した別部材としての第１伝熱管１６を熱交換して冷却する構成であるため、図６に示す従来例とは異なり、パルス管５の温端部５ｃを冷媒室に直接挿入する構造を採用する必要がなく、設計の自由度が増す利点が得られる。
なお実施例２においても、第１伝熱管１６を往復する冷媒量は、流量調整手段２２により絞られており、低圧冷媒通路１０における第２伝熱管１９を往復する冷媒に比較して少量（蓄冷器３を往復する冷媒に対して例えば１／１０程度）であるため、第１伝熱管１６の冷媒の熱は、放熱器２の冷媒と効果的に熱交換される。
【００４０】
【発明の効果】
各請求項によれば、パルス管の温端部側の第１伝熱管の冷媒が熱交換されて冷却されるので、温端部における過熱は抑止される。よって冷凍性能が一層向上したパルス管冷凍機が得られる。
更に各請求項によれば、パルス管の温端部から導出した第１伝熱管を熱交換する構成であるため、図６に示す従来例とは異なり、パルス管の温端部を冷媒室に直接挿入する構造を採用する必要がなく、設計の自由度が増す利点が得られる。
【図面の簡単な説明】
【図１】実施例１に係るパルス管冷凍機の構成図である。
【図２】圧力形態を示すタイミングチャートである。
【図３】実施例２に係るパルス管冷凍機の構成図である。
【図４】蓄冷器をもつ従来例に係る蓄冷型冷凍機のブロック図である。
【図５】従来例に係るパルス管冷凍機のブロック図である。
【図６】従来例に係るパルス管冷凍機の要部を示す断面図である。
【符号の説明】
図中、１は圧力振動源、２は放熱器、３は蓄冷器、４は吸熱器、５はパルス管、５ｃは温端部、６は位相調整用切替弁、８はコンプレッサ（圧力源本体）、８ａは高圧ポート（高圧口）、８ｂは低圧ポート（低圧口）、９は高圧冷媒通路、１０は低圧冷媒通路、１１は主切替弁、１２は放熱器通路、１６は第１伝熱管、１９は第２伝熱管を示す。
【図１】
0003651696.tif 000002
【図２】
0003651696.tif 000003
【図３】
0003651696.tif 000004
【図４】
0003651696.tif 000005
【図５】
0003651696.tif 000006
【図６】
0003651696.tif 000007